(57)【要約】【課題】連結部の初期の向きのいかんに関わらず、連結部を単に押し込んでいくだけでカートリッジに正確に挿入されて連結部がクリップに係合するクリップカートリッジを提供する。【解決手段】指向性をもつ連結部４０を挿入して、生体組織結紮用のクリップ１１の基端部１１ａに連結部４０を装着するためのカートリッジ１００であって、カートリッジ１００は、カートリッジ１００の内部に位置しクリップ１１を収納する収納部５２と、カートリッジ１００の外面を入口側とし収納部５２を出口側として貫通し連結部４０が挿入される挿入孔５３と、を備えている。挿入孔５３には、挿入される連結部４０に対して挿入孔５３の周回方向の力を付与する係合面５５が形成されている。【選択図】図８
2014188345.tif 000002
【特許請求の範囲】
【請求項１】
指向性をもつ連結部を挿入して、生体組織結紮用のクリップの基端に前記連結部を装着するためのクリップカートリッジであって、
前記クリップカートリッジは、前記クリップカートリッジの内部に位置し前記クリップを収納する収納部と、前記クリップカートリッジの外面を入口側とし前記収納部を出口側として貫通し前記連結部が挿入される挿入孔と、を備え、
前記挿入孔には、挿入される前記連結部に対して前記挿入孔の周回方向の力を付与する係合面が形成されていることを特徴とするクリップカートリッジ。
【請求項２】
前記挿入孔の前記入口側に位置する前記係合面の先端の端面の法線ベクトルが、挿入方向の逆方向と前記周回方向とを合成した方向を向いている請求項１に記載のクリップカートリッジ。
【請求項３】
前記係合面に連なって、前記挿入孔の前記入口側から前記出口側に向かって延在する突条部が形成されている請求項１または２に記載のクリップカートリッジ。
【請求項４】
前記突条部が終端したところで、前記挿入孔は偏平形状になっていて前記連結部の回動が規制されており、その先に、回動規制された前記連結部と向き合わせされた前記クリップが収納されている請求項３に記載のクリップカートリッジ。
【請求項５】
前記挿入孔の周囲に互いに対向して並行して設けられた複数本の前記突条部を備える請求項３または４に記載のクリップカートリッジ。
【請求項６】
前記突条部が、前記入口側から前記出口側にかけて突出高さが増大する突起である請求項３から５のいずれか一項に記載のクリップカートリッジ。
【請求項７】
複数本の前記突条部が、互いに対向する多重の螺旋条である請求項５または請求項５に従属する請求項６に記載のクリップカートリッジ。
【請求項８】
前記挿入孔を内部に画定する通路部材が開放可能である請求項１から６のいずれか一項に記載のクリップカートリッジ。
【請求項９】
前記通路部材には、前記クリップに前記連結部を装着したあと、前記収納部から前記クリップを引き抜くときに前記クリップが前記通路部材を押し広げて開放させるための傾斜面が形成されている請求項８に記載のクリップカートリッジ。
【請求項１０】
前記挿入孔が円孔である請求項１から９のいずれか一項に記載のクリップカートリッジ。
【請求項１１】
前記通路部材が基板に軸支されている請求項８または９に記載のクリップカートリッジ。
【請求項１２】
請求項１から１１のいずれか一項に記載のクリップカートリッジと、前記収納部に収納された生体組織結紮用の前記クリップと、前記クリップに嵌装されて前記クリップを閉成する締付リングと、を含むクリップ装置。
【発明の詳細な説明】
【技術分野】
【０００１】
この発明は、クリップカートリッジおよびクリップ装置に関する。
【背景技術】
【０００２】
クリップユニットに操作ワイヤを連結するにあたり、操作ワイヤとクリップユニットとの捩り方向の角度あわせをする必要がある場合に、操作ワイヤの先端をクリップユニットに対して所定の方向に向けるためのクリップケースを用いることが提案されている。
これに対し、特許文献１によれば、同文献の図１２から図１７に示されているように、クリップユニットを収納するクリップケースであって、シース（導入管）を挿入する入口側が拡径したテーパ形状（傾斜面）の挿入孔（導入管挿入部）を備えている。
また、特許文献２によれば、同文献の図１、図２、図５および図９に示されているように、同じくクリップケース（内視鏡用クリップ取付具）であって、挿入孔（フック案内孔）の断面（開口）形状が、開口入口から内部に向かって次第に偏平に形成されている。
【先行技術文献】
【特許文献】
【０００３】
【特許文献１】特開２００９−２２７７７号公報
【特許文献２】特開２００９−１１７６９号公報
【発明の概要】
【発明が解決しようとする課題】
【０００４】
特許文献２のクリップケース（内視鏡用クリップ取付具）は、操作ワイヤの先端の連結部（連結フック）が、カートリッジの挿入孔（フック案内孔）に対してちょうど真横を向いて挿入された場合に、挿入孔の内壁に引っ掛かって挿入できない場合がある。
すなわち、特許文献２では、同文献の図２に示されているように、挿入孔（フック案内孔）の入口側が楕円形に開口し、楕円形の長軸を、開いた連結部（連結フック）の外形の距離に等しく設定していた。このため、楕円形の短軸方向に向けて、開いた連結部（連結フック）を挿入することはできなかった。
【０００５】
本発明は上記課題に鑑みてなされたものであり、連結部の初期の向きのいかんに関わらず、連結部を単に押し込んでいくだけでカートリッジに正確に挿入されて連結部がクリップに係合するクリップカートリッジおよびクリップ装置を提供するものである。
【課題を解決するための手段】
【０００６】
本発明によれば、指向性をもつ連結部を挿入して、生体組織結紮用のクリップの基端に上記連結部を装着するためのカートリッジであって、上記カートリッジは、上記カートリッジの内部に位置し上記クリップを収納する収納部と、上記カートリッジの外面を入口側とし上記収納部を出口側として貫通し上記連結部が挿入される挿入孔と、を備え、上記挿入孔には、挿入される上記連結部に対して上記挿入孔の周回方向の力を付与する係合面が形成されていることを特徴とするクリップカートリッジが提供される。
【０００７】
また、本発明によれば、上記のクリップカートリッジと、前記収納部に収納された生体組織結紮用の前記クリップと、前記クリップに嵌装されて前記クリップを閉成する締付リングと、を含むクリップ装置が提供される。
【発明の効果】
【０００８】
上記発明によれば、連結部の挿入方向のいかんに関わらず、連結部を単に押し込んでいくだけで、連結部に対して横力を付与することで回転しながら、カートリッジに正確に挿入されて連結部がクリップに係合するようにしたクリップカートリッジおよびクリップ装置が提供される。
【図面の簡単な説明】
【０００９】
【図１】本発明の第一実施形態のカートリッジ本体と連結部との関係を説明するための一部平面図である。
【図２】図１のＡ−Ａ線に沿う断面図である。
【図３】図１のＢ−Ｂ線に沿う断面図である。
【図４】図１のＣ−Ｃ線に沿う断面図である。
【図５】本発明の第一実施形態のカートリッジ蓋体の平面図である。
【図６】図１のＤ−Ｄ線に沿う部分断面図である。
【図７】本発明の第一実施形態の連結部の拡大平面図である。
【図８】本発明の第一実施形態のクリップカートリッジを用いてクリップと連結部とを連結する際の説明図である。
【図９】図８に対応し、クリップカートリッジ内でのクリップと連結部との連結状態の説明図である。
【図１０】図９に対応し、連結状態のクリップと連結部をクリップカートリッジ内から取り出す際の説明図である。
【図１１】本発明の第一実施形態の挿入孔中での連結部の回転状態を説明するためのものであり、ハッチングを省略した一部断面図である。
【図１２】本発明の第一実施形態の挿入孔の詳細を説明するための通路部材の一部拡大平面図である。
【図１３】図１２のＤ−ＤからＨ−Ｈ線にそれぞれ沿い、図１３の（Ｄ）から（Ｈ）はハッチングを省略した一部断面図である。
【図１４】本発明の第一実施形態の突条部の説明図であり、突条部の端面が連続するように展開させた挿入孔の一部断面図である。
【図１５】本発明の第二実施形態の突条部を示し、ハッチングを省略した通路部材の一部断面図である。
【図１６】本発明の第二実施形態の突条部の縦方向の一部断面図である。
【発明を実施するための形態】
【００１０】
以下、本発明の実施形態を図面に基づいて説明する。図中、同様の構成要素には同様の符号を付し、重複する説明を省略する場合がある。
【００１１】
＜第一実施形態＞
図１は、本発明の第一実施形態のカートリッジ本体５０と連結部４０との関係を説明するための一部平面図である。図２は、図１のＡ−Ａ線に沿う断面図、図３は図１のＢ−Ｂ線に沿う断面図、図４は図１のＣ−Ｃ線に沿う断面図である。図５は、カートリッジ蓋体６０の平面図である。
図６は図１のＤ−Ｄ線に沿う部分断面図である。図６の右方は図示省略してある。図６は、クリップカートリッジ１００を示し、ハッチングを省略した一部断面図である。図７は、連結部４０の拡大平面図である。図８は、クリップカートリッジ１００を用いてクリップ１１と連結部４０とを連結する際の説明図である。図９は図８に対応し、クリップカートリッジ１００内でのクリップ１１と連結部４０との連結状態の説明図である。図１０は図９に対応し、連結状態のクリップ１１と連結部４０をクリップカートリッジ１００内から取り出す際の説明図である。
図１１は、挿入孔５３中での連結部４０の回転状態を説明するためのものであり、ハッチングを省略した一部断面図である。図１２は、挿入孔５３の詳細を説明するための通路部材５４の一部拡大平面図、図１３は図１２のＤ−ＤからＨ−Ｈ線にそれぞれ沿い、図１３の（Ｄ）から（Ｈ）はハッチングを省略した一部断面図である。図１４は突条部５６の説明図であり、突条部５６の端面が連続するように展開させた挿入孔５３の一部断面図である。
【００１２】
本実施形態のクリップカートリッジ（以下、カートリッジと略記）１００は、図８から図１０に示すように、指向性をもつ連結部４０を挿入して、生体組織結紮用のクリップ１１の基端（基端部１１ａ）に連結部４０を装着するためのものである。
カートリッジ１００は、図１および図８から図１０に示すように、カートリッジ１００の内部に位置し、クリップ１１を収納する収納部５２と、カートリッジ１００の外面を入口側とし、収納部５２を出口側として貫通し、連結部４０が挿入される挿入孔５３と、を備えている。
カートリッジ１００の外面に開口する挿入孔５３には、図１、図８および図９に示すように、挿入される連結部４０に対して挿入孔５３の周回方向の力を付与する係合面５５が形成されている。
すなわち、連結部４０を挿入孔５３に押し込むと、係合面５５により、連結部４０に挿入孔５３の周回方向の力を付与することで、連結部４０の挿入時に方向規制をすることができる。本実施形態における周回方向は、図３および図４における反時計回りである。
【００１３】
クリップ１１は、内視鏡（図示せず）に挿入して用い、連結部４０を介して連結された操作ワイヤ３０を牽引することで生体組織をクリップするものである。
クリップ１１は、図８から図１０に示すように、たとえば板バネ等の金属製板材を中央部で略Ｕ字形に折り曲げて形成したものである。クリップ１１は、連結部４０に連結される略Ｕ字形に折り曲がった基端部１１ａを有し、そのバネ性により常時は先端爪部が離隔して開いた開放状態にある。クリップ１１の基端部１１ａと先端爪部との間の主要な長さ部分を腕部という。
クリップ１１の腕部の長さ方向の途中には、上記バネ性に抗して当該クリップ１１を閉成する締付リング１２が嵌装される。クリップ１１および締付リング１２からクリップユニット１０を構成する。
【００１４】
本実施形態のクリップ装置１１０（図８を参照）は、カートリッジ１００にクリップユニット１０が収納されたものである。言い換えると、本実施形態のクリップ装置１１０は、カートリッジ１００と、カートリッジ１００の収納部５２に収納された生体組織結紮用のクリップ１１と、クリップ１１に嵌装されてこのクリップ１１を閉成する締付リング１２と、を含む。
【００１５】
連結部４０は、操作ワイヤ３０の先端に設けられ、クリップユニット１０を着脱可能に把持してクリップユニット１０と操作ワイヤ３０とを連結する部位である。本実施形態の連結部４０は指向性をもち、操作ワイヤ３０の軸線方向を回転軸として非等方的な形状をなしている。連結部４０は、クリップユニット１０に対して所定の向きに合わされることでクリップユニット１０に対して装着可能となる。具体的には、図７および図８に示すように、連結部４０は平面視形状が略チャネル形ないしＣ字形に形成されており、複数の腕片４１によってクリップユニット１０のクリップ１１の基端部１１ａを外側から把持することにより装着される。クリップ１１に向かって平行に延びる二本の腕片４１の対向する内面には、略円錐形に突出した一対の連結突起４２が形成されている。
一対の連結突起４２は、連結部４０の弾性を利用して、クリップ１１の基端部１１ａの内周側の空部内に嵌り込む。すなわち、基端部１１ａにおいてクリップ１１が屈曲する平面と直交する方向に一対の腕片４１が並ぶように、クリップ１１に対して連結部４０の向きを合せることにより、連結部４０はクリップユニット１０に装着される。
【００１６】
連結部４０は、図７および図８に示すように、操作ワイヤ３０の先端部に固定されている。
操作ワイヤ３０は、図８に示すように、可撓性を有するチューブ状のシース２０内に進退自在に挿入される。
シース２０内には、図示しないが、操作ワイヤ３０を牽引することで、連結部４０、ならびにクリップ１１および締付リング１２から構成されるクリップユニット１０が収納可能である。
【００１７】
本実施形態の挿入孔５３は、図２に示すように、円孔である。挿入孔５３が円孔であることから、連結部４０の挿入方向を問わず、挿入孔５３に対して連結部４０の挿入を開始することができる。
【００１８】
挿入孔５３の入口５３ａと出口５３ｂとの間、より具体的には挿入孔５３の中間部よりも入口５３ａの側（以下、入口側）に偏った位置に、係合面５５が形成されている。
挿入孔５３の入口側に位置するこの係合面５５の先端の端面の法線ベクトルは、挿入方向の逆方向（図１における右方）と周回方向（図３および図４における反時計回り）とを合成した方向を向いている。
【００１９】
すなわち、挿入孔５３の入口側に形成された係合面５５の先端の端面の法線ベクトルが、挿入方向の逆方向の成分を含むことで、挿入された連結部４０は挿入時の初期段階で係合面５５に係合する。さらに、この法線ベクトルが周回方向の成分を含むことで、連結部４０の向きを所望の方向に規制することができる。
【００２０】
挿入孔５３における出口５３ｂのある側（以下、出口側）は、収納部５２に連通して開口している。
【００２１】
係合面５５に連なって、挿入孔５３の入口側から出口側に向かって延在する突条部５６（図３および図４を参照）が形成されている。
すなわち、係合面５５に連なって突条部５６が形成されていることで、連結部４０の挿入の初期段階のみならず、挿入途中に関しても方向規制が可能である。
【００２２】
突条部５６が終端したところで、図４に示すように、挿入孔５３の出口側は偏平形状になっていて連結部４０の回動が規制されており、その先に、回動規制された連結部４０と向き合わせされたクリップ１１が収納されている。
すなわち、突条部５６が終端したところで、挿入孔５３の出口側は偏平形状とすることで、連結部４０の挿入時の終端段階での方向規制ができる。連結部４０とクリップ１１とが向き合わせされているとは、クリップ１１の基端部１１ａに対して、指向性をもつ連結部４０が装着可能な向きになっていることをいう。
【００２３】
本実施形態のカートリッジ１００は、複数本の突条部５６を備えている。複数本の突条部５６は、図３および図４に示すように、挿入孔５３の周囲に互いに対向して並行して設けられている。
すなわち、突条部５６が互いに対向する複数本であって並行していることで、連結部４０の両側から方向規制することができ、その円滑化が図られる。
【００２４】
突条部５６は、図３、図４および図１２から図１４に示すように、挿入孔５３の入口側から出口側にかけて突出高さが増大する突起である。
すなわち、突条部５６の突出高さが徐々に成長することから、連結部４０の方向規制が自然にかつスムーズとなる。
【００２５】
カートリッジ１００は、図１、図５および図６に示すように、製造上、二枚の合成樹脂製の板材を重ね合わせて接合して構成され、後述するカートリッジ本体５０とカートリッジ蓋体６０とに分離して形成されている。
【００２６】
カートリッジ本体５０は、凹形状の収納部５２を含むトレー状に形成されている。カートリッジ本体５０は、収納部５２にクリップ１１が収納されていることを容易に視認するため、着色された不透明または半透明の樹脂材料からなる。
カートリッジ蓋体６０は、カートリッジ本体５０の収納部５２を覆う平板状の基板６１を備えている。カートリッジ蓋体６０の基板６１は、収納部５２に収納されたクリップ１１を透過視認するため、無色透明の樹脂材料からなることが好ましい。
カートリッジ本体５０は、図８に示すように、基板５１と、基板５１から一段高くなり、クリップ１１を収納する収納部５２と、を備えている。
クリップ１１は、収納部５２から基板５１にまたがって収納され、締付リング１２を含めてクリップユニット１０がカートリッジ１００の内部に全て収納される。
基板５１には、図１０に示すように、挿入孔５３を内部に画定する一対の通路部材５４が開閉可能に軸支されている。
カートリッジ蓋体６０の基板６１は平板状でもよく、またはカートリッジ本体５０の基板５１とともに収納部５２を構成する凹形状でもよい。カートリッジ本体５０とカートリッジ蓋体６０との間に一対の通路部材５４が軸支されている（図６を参照）。
【００２７】
一対の通路部材５４は、図１および図２に示すように、挿入孔５３の軸芯に対して対称に形成され、互いに接近した閉状態において挿入孔５３を画定している。
通路部材５４には、図１および図６に示すように、挿入孔５３の入口側の端部に軸部５４ａが突設され、かつ出口側に凸部５４ｃが突設されている。
【００２８】
軸部５４ａは、図６に示すように、基板５１，６１に凹設された軸穴５１ａ，６１ａに嵌り込む。一対の通路部材５４は、図１０に示すように、軸部５４ａを中心に回転し、略Ｖ字形に開く。
凸部５４ｃは、図６に示すように、軸部５４ａに比較して突出量が少なく、一対の通路部材５４の閉状態において、基板５１，６１に凹設された凹部５１ｂ，６１ｂに嵌り込む。
凸部５４ｃは、一対の通路部材５４を閉状態にロックするものである。収納部５２からクリップ１１を引き抜くときに、後述する傾斜面５４ｂが、クリップ１１に外嵌された締付リング１２を介して押され、通路部材５４が押し広げられて開放する際に、凸部５４ｃは凹部５１ｂ，６１ｂから容易に離脱する。
【００２９】
挿入孔５３を内部に画定する通路部材５４は、図１０に示すように、開放可能である。
すなわち、挿入孔５３を内部に画定する通路部材５４が開放可能であることから、連結部４０に連結されたクリップ１１を、挿入孔５３を通すことなく、カートリッジ１００から取り出すことができる。
【００３０】
通路部材５４には、図９および図１０に示すように、クリップ１１に連結部４０を装着したあと、収納部５２からクリップ１１を引き抜くときにクリップ１１が通路部材５４を押し広げて開放させるための傾斜面５４ｂが形成されている。
すなわち、通路部材５４に傾斜面５４ｂがあることから、クリップ１１を引き抜く際に通路部材５４を自動的に開放できる。
【００３１】
通路部材５４は、図６に示すように、基板５１，６１に軸支されている。
すなわち、通路部材５４が基板５１，６１に軸支されていることから、カートリッジ１００の構造の簡便化が図られる。
【００３２】
つぎに、図８から図１１を参照して、本実施形態のカートリッジ１００の使用方法について説明する。
まず、カートリッジ１００内に、図８に示すように、クリップユニット１０を収納しておく。このとき、一対の通路部材５４は、閉状態にあり、挿入孔５３を画定している。
つぎに、シース２０から突出させた連結部４０を、図８および図９に示すように、挿入孔５３の入口側から挿入する。
このとき、連結部４０が、入口側の係合面５５に当接し、挿入孔５３内の突条部５６との位置が整合するように回転される。
連結部４０を更に挿入すると、図１１に示すように、挿入孔５３内で突条部５６と接触し、略９０度回転される。
連結部４０を更に挿入すると、図１０に示すように、挿入孔５３の出口側から突出し、クリップ１１の基端部１１ａに連結される。
つぎに、操作ワイヤ３０を牽引すると、クリップ１１に外嵌された締付リング１２が、通路部材５４の傾斜面５４ｂに当接する。
ここで、操作ワイヤ３０を更に牽引すると、図１０に示すように、通路部材５４が押し広げられて開放する。
このため、挿入孔５３内を通さずに、開放した一対の通路部材５４の間隔内を通して、クリップユニット１０をカートリッジ１００内から抜き取ることができる。
【００３３】
＜第二実施形態＞
図１５は、本発明の第二実施形態の突条部２０１，２０２を示し、ハッチングを省略した通路部材２１０の一部断面図、図１６は突条部２０１，２０２の縦方向の一部断面図である。
【００３４】
本実施形態のカートリッジ１００は、図１５および図１６に示すように、突条部２０１，２０２が二重の螺旋である点で第一実施形態と相違する。
【００３５】
複数本の突条部２０１，２０２は、図１５および図１６に示すように、互いに対向する多重（二重）の螺旋条である。
すなわち、突条部２０１，２０２が二重の螺旋を構成していることから、連結部４０の方向規制の円滑化が図られる。
【００３６】
具体的には、通路部材２１０の突き合わせ面に、図１５に示すように、挿入孔２００の片半部をそれぞれ形成する。挿入孔２００の内周面には、図１５および図１６に示すように、一対の通路部材２１０を互いに突き合わせた時に螺旋形に連続する突条部２０１，２０２を、略１８０度位相を異ならせ、二条で形成する。
突条部２０１，２０２の各端部には、挿入孔２００の周回方向の力を連結部４０に付与する係合面２０１ａ，２０２ａが形成されている。
連結部４０を挿入孔２００の入口側から挿入すると、図１５および図１６に示すように、係合面２０１ａ，２０２ａにまず当接し、連続して二重の螺旋である突条部２０１，２０２に案内されて、連結部４０が挿入孔２００中で回転される。
【００３７】
なお、本発明は上述の第一から第二実施形態に限定されるものではなく、本発明の目的が達成される限りにおける種々の変形、改良等の態様も含む。
【００３８】
たとえば、上記第一実施形態において、挿入孔５３として円孔を例示したが、これに限定されず、連結部４０が内部で回転可能なものであれば足り、例えば楕円形や多角形に形成してもよい。
たとえば、上記第一実施形態において、カートリッジ１００を製造上、二枚の板材を重ね合わせて構成したが、一枚の板材から構成したり、あるいは三枚以上の板材から構成したりしてもよい。また、カートリッジ１００を合成樹脂製の板材から構成したが、これに限定されず、金属製としてもよい。
たとえば、上記第一実施形態において、軸部５４ａと軸穴５１ａ，６１ａとの凹凸関係を逆にしてもよいし、また、凸部５４ｃと凹部５１ｂ，６１ｂとの凹凸関係を逆にしてもよい。
たとえば、上記第一実施形態において、連結部４０の回転角度として略９０度を例示したが、当該角度に限定されない。
【００３９】
上記実施形態は、以下の技術思想を包含するものである。
（１）指向性をもつ連結部を挿入して、生体組織結紮用のクリップの基端に前記連結部を装着するためのクリップカートリッジであって、前記クリップカートリッジは、前記カートリッジの内部に位置し前記クリップを収納する収納部と、前記クリップカートリッジの外面を入口側とし前記収納部を出口側として貫通し前記連結部が挿入される挿入孔と、を備え、前記挿入孔には、挿入される前記連結部に対して前記挿入孔の周回方向の力を付与する係合面が形成されていることを特徴とするクリップカートリッジ。
（２）前記挿入孔の前記入口側に位置する前記係合面の先端の端面の法線ベクトルが、挿入方向の逆方向と前記周回方向とを合成した方向を向いている上記（１）に記載のクリップカートリッジ。
（３）前記係合面に連なって、前記挿入孔の前記入口側から前記出口側に向かって延在する突条部が形成されている上記（１）または（２）に記載のクリップカートリッジ。
（４）前記突条部が終端したところで、前記挿入孔は偏平形状になっていて前記連結部の回動が規制されており、その先に、回動規制された前記連結部と向き合わせされた前記クリップが収納されている上記（３）に記載のクリップカートリッジ。
（５）前記挿入孔の周囲に互いに対向して並行して設けられた複数本の前記突条部を備える上記（３）または（４）に記載のクリップカートリッジ。
（６）前記突条部が、前記入口側から前記出口側にかけて突出高さが増大する突起である上記（３）から（５）のいずれかに記載のクリップカートリッジ。
（７）複数本の前記突条部が、互いに対向する多重の螺旋条である上記（５）または上記（５）にかかる上記（６）に記載のクリップカートリッジ。
（８）前記挿入孔を内部に画定する通路部材が開放可能である上記（１）から（６）のいずれかに記載のクリップカートリッジ。
（９）前記通路部材には、前記クリップに前記連結部を装着したあと、前記収納部から前記クリップを引き抜くときに前記クリップが前記通路部材を押し広げて開放させるための傾斜面が形成されている上記（８）に記載のクリップカートリッジ。
（１０）前記挿入孔が円孔である上記（１）から（９）のいずれかに記載のクリップカートリッジ。
（１１）前記通路部材が基板に軸支されている上記（８）または（９）に記載のクリップカートリッジ。
（１２）上記（１）から（１１）のいずれかに記載のクリップカートリッジと、前記収納部に収納された生体組織結紮用の前記クリップと、前記クリップに嵌装されて前記クリップを閉成する締付リングと、を含むクリップ装置。
【符号の説明】
【００４０】
１０  クリップユニット
１１  クリップ
１１ａ  基端部
１２  締付リング
２０  シース
３０  操作ワイヤ
４０  連結部
４１  腕片
４２  連結突起
５０  カートリッジ本体
５１  基板
５１ａ  軸穴
５１ｂ  凹部
５２  収納部
５３  挿入孔
５３ａ  入口
５３ｂ  出口
５４  通路部材
５４ａ  軸部
５４ｂ  傾斜面
５４ｃ  凸部
５５  係合面
５６  突条部
６０  カートリッジ蓋体
６１  基板
６１ａ  軸穴
６１ｂ  凹部
１００  クリップカートリッジ（カートリッジ）
１１０  クリップ装置
２００  挿入孔
２０１，２０２  突条部
２０１ａ，２０２ａ  係合面
２１０  通路部材
【図１】
2014188345.tif 000003
【図２】
2014188345.tif 000004
【図３】
2014188345.tif 000005
【図４】
2014188345.tif 000006
【図５】
2014188345.tif 000007
【図６】
2014188345.tif 000008
【図７】
2014188345.tif 000009
【図８】
2014188345.tif 000010
【図９】
2014188345.tif 000011
【図１０】
2014188345.tif 000012
【図１１】
2014188345.tif 000013
【図１２】
2014188345.tif 000014
【図１３】
2014188345.tif 000015
【図１４】
2014188345.tif 000016
【図１５】
2014188345.tif 000017
【図１６】
2014188345.tif 000018